【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
無端バンド（４）、駆動プーリー（６）、第１従動プーリー（８）、および前記無端バンド（４）に接触する第１ガイド（５８）を有する無端バンド駆動システム（２）であって、
前記無端バンド駆動システム（２）は、
前記駆動プーリー（６）と前記第１従動プーリー（８）との間の可変中心距離（１２）と、
前記駆動プーリー（６）と前記第１従動プーリー（８）との間の第１中心距離（１２ａ）を有し、且つ、第１無弛み無端バンド経路（１４ａ）、および前記第１無弛み無端バンド経路（１４ａ）を提供するための第１ガイド位置（１６ａ）を有する第１設定と、
前記駆動プーリー（６）と前記第１従動プーリー（８）との間の第２中心距離（１２ｂ）を有し、且つ、第２無弛み無端バンド経路（１４ｂ）、および前記第２無弛み無端バンド経路（１４ｂ）を提供するための第２ガイド位置（１６ｂ）を有する第２設定と、
をさらに含み、
前記無端バンド駆動システム（２）は、前記第１ガイド（５８）を前記第１ガイド位置（１６ａ）から前記第２ガイド位置（１６ｂ）へと再配置し、それにより、前記第１ガイド位置（１６ａ）および前記第２ガイド位置（１６ｂ）において無弛み無端バンドを提供するための第１回転可能コントロールシャフト（６２）をさらに含み、
前記第１ガイド（５８）は第１ガイド配置表面（６０）を含み、前記回転可能コントロールシャフト（６２）は第１ガイドカム（６４）を含み、前記第１ガイドカム（６４）は、前記回転可能コントロールシャフト（６２）の回転を用いる前記第１ガイド（５８）の再配置のために、前記第１ガイド配置表面（６０）に接触する、無端バンド駆動システム。
【請求項２】
前記無端バンド駆動システム（２）は、前記第１設定において前記駆動プーリー（６）と前記従動プーリー（８）との間の第１位相タイミング（８６）を、および前記第２設定において第２位相タイミング（８８）をさらに有し、前記第１ガイドカム（６４）は、前記第１位相タイミング（８６）および前記第２位相タイミング（８８）を提供する、請求項１に記載の無端バンド駆動システム。
【請求項３】
前記無端バンド駆動システム（２）は、前記駆動プーリー（６）と前記第１従動プーリー（８）との間の可変中心距離（１２）を調整するための可変中心距離調整手段（２０）をさらに含み、
前記第１回転可能コントロールシャフト（６２）は、前記駆動プーリー（６）と前記第１従動プーリー（８）との間の可変中心距離（１２）を調整するための可変中心距離調整手段（２０）を提供する、請求項１に記載の無端バンド駆動システム。
【請求項４】
前記駆動プーリー（６）と前記第１従動プーリー（８）との間の可変中心距離（１２）を調整するための第２回転可能コントロールシャフト（７０）、および前記第１無弛み無端バンド経路（１４ａ）および前記第２無弛み無端バンド経路（１４ｂ）を提供するための第２ガイド（７２）をさらに有する、請求項１に記載の無端バンド駆動システム。
【請求項５】
前記第２回転可能コントロールシャフト（７０）は、前記第２回転可能コントロールシャフト（７０）の回転を用いる前記第２ガイド（７２）の再配置のための第２ガイドピン（７４）を含み、
前記第２回転可能コントロールシャフト（７０）の回転はさらに第２コントロールシャフト軸（７６）を画成し、前記第２ガイドピン（７４）はさらに第２ガイドピン軸（７８）を画成し、前記第２ガイドピン軸（７８）は前記第２コントロールシャフト軸（７６）から偏位し、前記第２ガイド（７２）は、前記第１無弛み無端バンド経路（１４ａ）および前記第２無弛み無端バンド経路（１４ｂ）を提供するために、前記第２ガイドピン（７４）上に枢動可能に取り付けられる、請求項４に記載の無端バンド駆動システム。
【請求項６】
前記第１無弛み無端バンド経路（１４ａ）および前記第２無弛み無端バンド経路（１４ｂ）を提供するために、前記第１ガイド（５８）は第１ガイド配置表面（６０）および第１ガイドカム（６４）を有し、前記第２ガイド（７２）は第２配置表面および第２ガイドカムを有する、請求項４に記載の無端バンド駆動システム。
【請求項７】
前記無端バンド駆動システム（２）は、前記第１設定において前記駆動プーリー（６）と前記従動プーリー（８）との間の第１位相タイミング（８６）を、および前記第２設定において第２位相タイミング（８８）を、ならびに、
前記従動プーリー（８）に取り付けられたカムシャフト（８０）を、および前記カムシャフト（８０）のタイミングを調整するための位相シフタ（９０）をさらに有する、請求項１に記載の無端バンド駆動システム。
【請求項８】
前記無端バンド（４）はベルトであり、前記第１ガイド（５８）は回転式ベルトガイド（１１２）である、請求項１に記載の無端バンド駆動システム。
【請求項９】
前記無端バンドシステム（２）は、前記第１設定と前記第２設定との間の設定範囲を有し、前記無端バンドは前記設定範囲の全域において略無弛み状態である、請求項１に記載の無端バンド駆動システム。
【請求項１０】
無端バンド（４）、駆動プーリー（６）、第１従動プーリー（８）、および前記無端バンド（４）に接触する第１ガイド（１０、４４および５８）を有する無端バンド駆動システム（２）であって、
前記無端バンド駆動システム（２）は、
前記駆動プーリー（６）と前記第１従動プーリー（８）との間の可変中心距離（１２）と、
前記駆動プーリー（６）と前記第１従動プーリー（８）との間の第１中心距離（１２ａ）を有し、且つ、第１無弛み無端バンド経路（１４ａ）、および前記第１無弛み無端バンド経路（１４ａ）を提供するための第１ガイド位置（１６ａ）を有する第１設定と、
前記駆動プーリー（６）と前記第１従動プーリー（８）との間の第２中心距離（１２ｂ）を有し、且つ、第２無弛み無端バンド経路（１４ｂ）、および前記第２無弛み無端バンド経路（１４ｂ）を提供するための第２ガイド位置（１６ｂ）を有する第２設定と、
をさらに含み、
前記無端バンド駆動システム（２）は、前記駆動プーリー（６）と前記第１従動プーリー（８）との間の可変中心距離（１２）を調整し、前記第１ガイド（１０、４４および５８）を前記第１ガイド位置（１６ａ）から前記第２ガイド位置（１６ｂ）へと再配置し、それにより、前記第１ガイド位置（１６ａ）および前記第２ガイド位置（１６ｂ）において無弛み無端バンドを提供し、前記駆動プーリー（６）と前記第１従動プーリー（８）との間の可変中心距離（１２）を提供するための、第１回転可能コントロールシャフト（１８、４８および６２）、および第２回転可能コントロールシャフト（７０）をさらに含む、無端バンド駆動システム（２）。
【請求項１１】
前記第１回転可能コントロールシャフト（１８）は、弛みのない第１ガイド位置（１６ａ）および第２ガイド位置（１６ｂ）を提供するための、前記第１回転可能コントロールシャフト（１８）の回転を用いる前記第１ガイド（１０）の再配置のための第１ガイドピン（２４）を含み、
前記第１回転可能コントロールシャフト（１８）の回転はさらに第１コントロールシャ
フト軸（２６）を画成し、前記ガイドピン（２４）はさらにガイドピン軸（２８）を画成
し、前記ガイドピン軸（２８）は前記コントロールシャフト軸（２６）から偏位し、
第２ガイド（７２）、前記第２回転可能コントロールシャフト（７０）は、弛みのない第１ガイド位置（１６ａ）および第２ガイド位置（１６ｂ）を提供するための、前記第２回転可能コントロールシャフト（７０）の回転を用いる前記第２ガイド（７２）の再配置のための第２ガイドピン（７４）を含み、
前記第２回転可能コントロールシャフト（７０）の回転はさらに第２コントロールシャフト軸（７６）を画成し、前記第２ガイドピン（７４）はさらに第２ガイドピン軸（７８）を画成し、前記第２ガイドピン軸（７８）は前記第１コントロールシャフト軸（７６）から偏位している、請求項１０に記載の無端バンド駆動システム。
【請求項１２】
前記第１ガイド（５８）は第１ガイド配置表面（６０）を含み、前記回転可能コントロールシャフト（６２）は第１ガイドカム（６４）を含み、前記第１ガイドカム（６４）は、前記回転可能コントロールシャフト（６２）の回転を用いる前記第１ガイド（５８）の再配置のために、前記第１ガイド配置表面（６０）に接触する、請求項１０に記載の無端バンド駆動システム。
【請求項１３】
弛みのない第１および第２位置を提供するために、前記第１ガイド（５８）は第１ガイド配置表面（６０）および第１ガイドカム（６４）を有し、前記第２ガイド（７２）は第２配置表面および第２ガイドカムを有する、請求項１０に記載の無端バンド駆動システム。
【請求項１４】
前記無端バンド駆動システム（２）は、前記第１設定において前記駆動プーリー（６）と前記従動プーリー（８）との間の第１位相タイミング（８６）を、および前記第２設定において第２位相タイミング（８８）をさらに有し、前記第１ガイドカム（６４）は、前記第１位相タイミング（８６）および前記第２位相タイミング（８８）を提供する、請求項１２に記載の無端バンド駆動システム。
【請求項１５】
前記無端バンド駆動システム（２）は、前記第１設定において前記駆動プーリー（６）と前記従動プーリー（８）との間の第１位相タイミング（８６）を、および前記第２設定において第２位相タイミング（８８）を、ならびに、
前記従動プーリー（８）に取り付けられたカムシャフト（８０）を、および前記カムシャフト（８０）のタイミングを調整するための位相シフタ（９０）をさらに有する、請求項１０に記載の無端バンド駆動システム。
【請求項１６】
前記無端バンド（４）はベルトであり、前記第１ガイドは回転式ベルトガイド（１１２）である、請求項１０に記載の無端バンド駆動システム。
【請求項１７】
前記第１ガイド（４４）はガイドピン・スロット（４６）を含み、前記第１回転可能コントロールシャフト（４８）はガイドピン（５０）を含み、前記ガイドピン（５０）は、前記第１回転可能コントロールシャフト（４８）の回転を用いる前記第１ガイド（４４）の再配置のために、前記ガイドピン・スロット（４６）内に取り付けられ、
前記第１回転可能コントロールシャフト（４８）の回転はさらにコントロールシャフト軸（５２）を画成し、前記ガイドピン（５０）はさらにガイドピン軸（５４）を画成し、前記ガイドピン軸（５４）は前記コントロールシャフト軸（５２）から偏位している、請求項１０に記載の無端バンド駆動システム。
【請求項１８】
前記無端バンド駆動システム（２）はアライメントピン（３８）を含み、前記第１ガイド（１０）は、前記第１ガイド（１０）を配置し、弛みのない第１ガイド位置（１６ａ）および第２ガイド位置（１６ｂ）を提供するためのスロット（４０）を含む、請求項１０に記載の無端バンド駆動システム。
【請求項１９】
前記無端バンド駆動システム（２）は湾曲スロット（４３）をさらに含み、前記アライメントピン（３８）は、前記第１ガイド（１０）を配置し、弛みのない第１ガイド位置（１６ａ）および第２ガイド位置（１６ｂ）を提供するために、前記湾曲スロット（４３）内に保持される、請求項１８に記載の無端バンド駆動システム。